(57)【要約】【課題】化粧部材を組み合わせることにより数種類のデザイン笠木を簡単且つ安価に提供する。【解決手段】建物のパラペット部上部を覆い防水を主目的とした金属製笠木の先端部に設けられるデザイン笠木部分は基本形状を有する押出形材から成る主化粧部材と、該主化粧部材と組み合わせ種々の形状を作りだす複数の付属化粧材を準備しておき前記主化粧材に任意に選択した付属化粧材を組み合わせて固着一体化してデザイン笠木を構成する。【選択図】    図２
2004176410.tif 000002
【特許請求の範囲】
【請求項１】
建物のパラペット部上部を覆い防水を主目的とした金属製笠木の先端部にピース形状のホルダーを嵌合にてまたは固着用ビスにて一定間隔で取付け、該ホルダーに嵌着されるデザイン笠木部分を基本形状を有する単一部材の押出型材から成る主化粧部材と、該主化粧部材と組み合わせ種々の形状を作りだす複数の付属化粧材を準備しておき、前記主化粧部材に任意に選択した付属化粧材を組み合わせてビスや嵌合等で固着一体化してデザイン笠木部分を構成し、該デザイン笠木部分を前記笠木の先端部に設けたピース形状のホルダーに嵌着したことを特徴とするデザイン笠木。
【請求項２】
建物のパラペット部上部を覆い防水を主目的とした金属製笠木の先端部に設けられるデザイン笠木部分は基本形状を有する単一部材の押出型材から成る主化粧部材と、該主化粧部材と組み合わせ種々の形状を作りだす複数の付属化粧材を準備しておき、前記主化粧部材に任意に選択した付属化粧材を組み合わせてビスや嵌合等で固着一体化してデザイン笠木部分を構成し、該デザイン笠木部分を予め前記笠木先端部に固着ビスやリベットにて固着一体化したことを特徴とするデザイン笠木。
【請求項３】
前記デザイン笠木部分を構成する主化粧部材にビスや嵌合等で固着一体化される付属化粧材には更に固着用ビスや嵌合により該付属化粧材に固着される化粧材が固着可能に構成されたことを特徴とする請求項１及び請求項２記載のデザイン笠木。
【請求項４】
前記デザイン笠木部分を構成する主化粧部材や付属化粧材及び該付属化粧材に固着される化粧材の仕上げをそれぞれ陽極酸化塗装複合皮膜の異なる色合いにて変化を持たせ、また塗装仕上げによる異なる色合いを持たせることで笠木先端部の意匠を変化させることを特徴とする請求項１及び請求項２記載のデザイン笠木。
【請求項５】
前記デザイン笠木部分を構成する主化粧部材や付属化粧材及び該付属化粧材に固着される化粧材の仕上げにカラーテープまたは金属箔テープ等を貼着することで笠木先端部の意匠を変化させることを特徴とする請求項１及び請求項２記載のデザイン笠木。
【請求項６】
前記デザイン笠木部分を構成する主化粧部材や付属化粧材及び該付属化粧材に固着される化粧材の仕上げを請求項４及び請求項５より任意に選択して笠木先端部の意匠を変化させることを特徴とする請求項１及び請求項２記載のデザイン笠木。
【発明の詳細な説明】
【０００１】
【発明の属する技術分野】
本発明は建物のパラペット部の防水を主目的として使用されてきた金属製笠木に外観上の意匠性をもたせた化粧カバーを付加させたデザイン笠木に関するものである。
【０００２】
本発明は特にアルミ押出型材にて成形された基本形状の主化粧部材を笠木の先端部に取付、該主化粧部材のみにてデザイン笠木を構成したり、また主化粧材にアルミ押出型材にて形成された数種類の付属化粧材を準備しておき、該付属化粧材を任意に選択して一つ、または複数個取り付けることにより、色々な意匠性を持ったデザイン笠木を数種類簡単、且つ、容易に提供できるものである。
【０００３】
【従来の技術】
従来、建物のパラペット部の防水用に使用されてきたデザイン笠木には、図１４，図１５に示すものが、代表的なものである。図１４は、建物のパラペット部５０の上部に墨だしに基づき各固定金具５１の取付位置を設定し、ドリルで穴を開け各穴にアンカープラグ５２ａ、５２ｂを挿入後、固定金具５１を取付ネジ５３ａ、５３ｂにて、パラペット部５０に取り付けている。
【０００４】
笠木５４は予め連結材（図示せず）を笠木５４端部にセットした状態で、前記、固定金具５１の両端部５５ａ、５５ｂにスナップ・インされパラペット部５０を覆う形で取付されている。
【０００５】
笠木５４の先端部５６には、デザイン笠木部分として半円型デザイン・カバー５７がホルダー５８を介して嵌合されており、該デザイン・カバー５７は、笠木先端部５６が建物の意匠全体で見ると単なる見切り板にしか見えない機能的製品であったものを、建物の意匠に大きな係わり合いを持つデザイン的要素を有する所謂、デザイン笠木として使用されている。
【０００６】
図１４の半円形型デザイン・カバー５７は、前記笠木５４をパラペット部５０に取り付けた後、ピース形状のホルダー５８を笠木５４の先端部５６に一定間隔をおいて複数個、それぞれビス５９にて取付られ、該ホルダー５８に長物として製作されたデザイン・カバー５７を現場にてスナップ・インして取り付けている。
【０００７】
また、図１５の従来例では、図１４と同様、従来のデザイン笠木を示すもので、図１４にて説明したデザイン笠木が、現場にて笠木５４を取付た後、デザイン・カバー５７を取付ける構成であるのに対し、図１５の従来例は、工場にて予め、笠木５４とデザイン・カバー５７を固着ビス６０、またはリベット等で一体化したもので、該デザイン笠木の取付は、デザイン・カバー５７を付加した笠木として図１４の笠木取付手順で、パラペット部５０に取り付けられる。
【０００８】
従って、図１５の従来例は、外観上は笠木５４の先端部５６にデザイン笠木部分として、半円形型デザイン・カバー５７が構成されていることでは図１４の従来例と同様のものとなっている。
【０００９】
上記、図１４及び図１５にて述べた従来例のデザイン笠木においては、笠木５４の先端部５６に単一形状部材から成るデザイン・カバー５７を単に取付るのみの構成であり、該デザイン笠木は、他に半円形型材として説明したデザイン・カバー部分をくり型や、三角垂形状にしたものもあるが、それらの種々形状をデザイン笠木として品揃えして、建物の施主や設計者に選択して採用してもらうには、全て専用のアルミ押出型材を製作し、在庫しなくてはならなかった。
【００１０】
また、上記の種々の形状を規格品として品揃えしておくためには、それぞれのデザイン・カバー５７の形状を押出型材にて製作するため、非常に高価なアルミ押出用ダイスの製作をおこなうことが必要で、メーカー側にとっては、膨大な費用を負担することになる。
【００１１】
【発明が解決しようとする課題】
而して、本発明は上述の点に鑑みてなされたもので、従来形状の笠木先端部に主化粧部材を取付、該主化粧部材のみにてデザイン笠木を構成したり、また主化粧部材を基本形状とし、該主化粧部材にアルミ押出型材にて形成された数種類の付属化粧材を準備しておき、該複数の付属化粧材から任意に一つ、または複数個の付属化粧材を選択して取り付けることにより、主化粧部材から発展した色々な意匠性を持ったデザイン笠木を数種類簡単、且つ、容易に提供することを目的とする。
【００１２】
また、本発明にあっては、基本形状を有する主化粧部材に取り付けられる他の付属化粧材を製作するとき、前記主化粧部材の仕上げや塗装色を他の付属化粧材と意識して変えることにより、該主化粧部材と他の付属化粧材を組み合わせたデザイン笠木が単一仕上げや、単一色で構成されるのではなく、仕上げや色の異なるツートンカラーのバリェーションを持ったデザイン笠木として提供できることを目的とした。
【００１３】
【課題を解決するための手段】
上記の目的を達成するため、本発明に係るデザイン笠木は、パラペット上部に設置された笠木の先端部にピース形状のホルダーを嵌合にてまたは固着用ビスにて一定間隔で取付、該ホルダーに嵌着されるデザイン笠木部分を基本形状を有する単一部材の押出型材から成る主化粧部材と、該主化粧部材と組み合わせ種々の形状を作りだせる複数の付属化粧材を準備しておき、前記主化粧材に任意に選択した付属化粧材を組み合わせてビスや嵌合等で固着一体化してデザイン笠木部分を構成し、該デザイン笠木部分を前記笠木の先端部に設けたピース形状のホルダーに嵌着した。
【００１４】
また、本発明に係るデザイン笠木は、パラペット上部に設置され笠木の先端部に設けられるデザイン笠木部分は基本形状を有する単一部材の押出型材から成る主化粧部材と、該主化粧部材と組み合わせ種々の形状を作りだせる複数の付属化粧材を準備しておき、前記主化粧部材に任意に選択した付属化粧材を組み合わせてビスや嵌合等で固着一体化してデザイン笠木部分を構成し、該デザイン笠木部分を予め前記笠木先端部に固着ビスやリベットにて固着一体化した。
【００１５】
また前記、デザイン笠木部分を構成する主化粧部材にビスや嵌合等で固着一体化される付属化粧材には更に固着用ビスや嵌合により該付属化粧材に固着される化粧材が固着可能に構成されていることも本発明の課題を達成するための重要な手段である。
【００１６】
而して、本発明においては、デザイン笠木部分を構成する主化粧部材や付属化粧材及び該付属化粧材に固着される化粧材の仕上げを、それぞれ陽極酸化塗装複合皮膜の異なる色合いにて変化をもたせ、また塗装仕上げによる異なる色合いを持たせることにより、笠木先端部の意匠を変化させている。
【００１７】
同様にデザイン笠木部分を構成する主化粧材、付属化粧材及び該付属化粧材に固着される化粧材の仕上げをそれぞれカラーテープまたは金属箔テープ等を貼着することで笠木先端部の意匠を変化させることができる。
【００１８】
【実施例１】次に、本発明の実施例を図面に基づき説明する。図１乃至図３において、１はパラペット部２上に設けられた笠木であり、該笠木１の先端部３には笠木１のデザイン笠木部を構成する主化粧部材４がホルダー５を介して嵌合されており、該主化粧部材４はアルミ押出型材で形成された単一部材で、該断面形状は逆Ｌ字形状を有しており、該形状が実施例１の主化粧材部材４の基本形状である。
【００１９】
前記基本形状を有する主化粧部材４は、笠木１をパラペット部２上に取り付けた後、ピース形状のホルダー５を笠木１の先端部３に一定間隔を持って複数個、それぞれビス６ａ、６ｂにて取付られており、該それぞれのホルダー５に長物として製作された主化粧部材４が現場にてホルダー５の両端部７ａ、７ｂに嵌合されスナップ・インされている。
【００２０】
而して、主化粧部材４は、図１の状態でもデザイン笠木として構成されており使用可能であるが、本発明の要旨は、逆Ｌ字型の基本形状を有する主化粧部材４を図２及び図３に示す如く発展させ、付属化粧材８や付属化粧材８に化粧材９を組み合わせることにより、効率よく種々の変化に富んだデザイン笠木を提供することにある。
【００２１】
図２においては主化粧部材４に予め付属化粧材８を固着用ビス１０にて固着せしめ、主化粧部材４と付属化粧材８の組み合わせによりデザイン笠木部分を構成し、現場に置いて笠木１の施工後、該笠木１の先端部３に主化粧部材４嵌着するデザイン笠木を提供している。
【００２２】
また、図３にあっては、主化粧部材４に固着用ビス１０にて固着された付属化粧材８に、更に嵌合により該付属化粧材８にスナップ・インされる化粧材９を設けることにより、笠木１の先端部３に設けられるデザイン笠木部分の意匠を変化させるよう構成されている。
【００２３】
【実施例２】
図４乃至図６は、上記実施例１と同一の基本形状を有する主化粧材４を予め工場にて、笠木１の先端部３にビス１１やリベット等にて固着一体化した実施例を示している。
【００２４】
図４は前記笠木１の先端部３にビス１１にて基本形状を有する主化粧材４を一体化してパラペット部２上部に設置した状態を示している。
【００２５】
図５は図４の形状を発展させ、基本形状を有する主化粧部材８に予め付属化粧材８をビス１２にて固着して、図２に相当するデザイン笠木を提供している。
【００２６】
また、図６は、主化粧部材４にビス１２を介して固着される付属化粧材８の断面形状変えて、中央部にセンターラインのアクセントを設けるため、化粧材９をスナップ・インさせている。
【００２７】
而して、本発明の前記実施例によれば、デザイン笠木部分を構成する基本形状の主化粧部材４は、該断面形状を変えることなく、施工された後の笠木１の先端部３にホルダー５を介して設置することや、主化粧部材４は予め工場等で笠木１の先端部３に固着一体化してデザイン笠木として、施工することも可能であり、異なる施工方法に兼用して使用できる。
【００２８】
図７は、前記デザイン笠木部分を構成する基本形状の主化粧部材４に固着され、種々の意匠を作りだす付属化粧材８の形状例を（Ａ）、（Ｂ）、（Ｃ）として図示した。基本形状を有する主化粧部材４に組み合わされ、異なった意匠を作りだす付属化粧材８の押出型材成型用ダイスの製作費は、従来のデザイン笠木全体の製作費に比較して、断面形状が小さく、形状も単純化されるので、大幅に安価となる。
【００２９】
【実施例３】
図８乃至図１０において、前記実施例と同一符号は同一構成要素示し、１は笠木、２はパラペット部、３は笠木１の先端部、４は主化粧部材、５はホルダー、８は付属化粧材をそれぞれ示している。
【００３０】
図８乃至図１０に示す実施例は、前記基本形状を有する主化粧部材４の形状を変えたもので、主化粧部材４は、中心に凹溝１３を刻設した山型形状のパネルを形成している。主化粧部材４の笠木１先端部３への固着方法は、図８乃至１０ともビス６ａ、６ｂを介してホルダー５に嵌合されスナップ・インされた形で、現場にて笠木１に取り付ける型式となっている。
【００３１】
パネル形状の主化粧材４は、笠木一の先端部３に図８に示す如く取り付けられた後、図９に示すように凹溝１３に付属化粧材８を嵌合しスナップ・インしている。この様な構成にあって、本発明は主化粧材４と付属化粧材８の色合いを変えて付属化粧材８のラインを強調させたり、同様に仕上げに変化をもたせ、例えば、主化粧部材４はアルミの電解発色によるステンレス色にし、付属化粧材８は表面にゴールド色の金属薄膜を貼着したゴールドラインを構成する等、色彩を着けたデザイン笠木を提供できる。
【００３２】
図１０は前記図９と同様な効果が期待できるが、該構成は凹溝１３に嵌合した付属化粧材８をビス１４にて任意ピッチで固着している例を示している。
【００３３】
【実施例４】
図１１乃至図１２において、１は笠木、２はパラペット部、３は笠木の先端部、４は主化粧部材、５はホルダー、８は付属化粧材をそれぞれ示している。図１１乃至図１３の実施例は前記実施例と同様、基本形状を有する主化粧部材４の形状を変え、笠木１の上面に沿って突出したリブ形状材１５から成る。該主化粧部材４は他に笠木１の先端部３に対向して設けられた板状材部１６を有している。
主化粧部材４の笠木１先端部３への固着方法は、図１１及び図１２がビス６ａ、６ｂを介して笠木先端部３に取り付けられたホルダー５に嵌合されスナップ・インされる形で現場にて笠木１に取り付けられる型式とした。
【００３４】
図１３は予め工場にて笠木先端部３に主化粧部材４をビス１７にて固着して笠木１と主化粧部材４を一体化する構成の例を示している。
【００３５】
而して本実施例においては、笠木先端部３に沿って垂下する板状部材１６と、笠木１の上面に沿って突出するリブ形状材１５を覆う板状の付属化粧材８を製作して、前記主化粧部材４に嵌合しスナップ・インすることにより、略三角垂形状のデザイン笠木を提供することができ、本実施例にて使用される付属化粧材８は単純形状で、糸幅も少ない安価な押出型材となる。
【００３６】
斯くして、本発明は、建物のパラペット部２上部を覆い防水を主目的とした金属製笠木１の先端部３に、ピース形状のホルダー５をビス６ａ、６ｂにて一定間隔で取付け、該ホルダー５に嵌着されるデザイン笠木部分を基本形状を有する押出型材から成る主化粧部材４と、該主化粧部材４と組み合わせ種々の形状を作りだせる複数の付属化粧材８を準備しておき、前記主化粧部材４任意に選択した付属化粧材８を組み合わせてビスや嵌合等で固着一体化してデザイン笠木部分を構成し、該デザイン笠木部分を前記笠木１の先端部３に設けたホルダー５に嵌着することにより、パラペット部２上部に笠木１を取り付けた後、該笠木１に取付可能なデザイン笠木を提供した。
【００３７】
また本発明は建物のパラペット部２上部を覆い防水を主目的とした金属製笠木１の先端部３に設けられるデザイン笠木部分は基本形状を有する押出型材から成る主化粧部材４と、該主化粧部材４と組み合わせ種々の形状を作りだせる複数の付属化粧材を準備しておき、前記主化粧部材４に任意に選択した付属化粧材８を組み合わせてビスや嵌合等で固着一体化してデザイン笠木部分を構成し、該デザイン笠木部分を予め前記笠木先端部３にビスやリベットにて固着一体化して、笠木１と一緒にパラペット部２上部に取付できるデザイン笠木を提供した。
【００３８】
前記デザイン笠木部分を構成する主化粧部材４にビスや嵌合等で固着一体化される付属化粧材８には、更にビスや嵌合により該付属化粧材８に固着される化粧材９が複数種類準備されていて、デザイン笠木を構成できる。
【００３９】
前記デザイン笠木部分を構成する主化粧部材４や付属化粧材８及び該付属化粧材８に固着される化粧材９の仕上げをそれぞれ電解発色や陽極酸化塗装複合被膜の異なる色合いにて変化を持たせ、また塗装仕上げによる異なる色合いをもたせることで、デザイン笠木部分の意匠を変化させることの出来る構成とした。
【００４０】
前記デザイン笠木部分を構成する主化粧部材４や付属化粧材８及び化粧材９の仕上げにカラーテープまたは金属箔テープ等を貼着することで、デザイン笠木部分の意匠を変化させることの出来る構成とした。
【００４１】
【発明の効果】
而して、本発明にあっては、従来形状の笠木先端部３に主化粧部材４を取付け、該主化粧部材４のみにてデザイン笠木を構成したり、また主化粧部材４を基本形状とし、該主化粧部材４にアルミ押出型材にて形成された数種類の付属化粧材８を一つ、または複数個取り付けることにより、主化粧部材４から発展した色々な意匠性を持ったデザイン笠木を数種類簡単、且つ容易に提供することができた。
【００４２】
また、本発明においては主化粧部材４に取り付けられる他の付属化粧材８を製作するとき、主化粧部材４の仕上げや塗装色に対して他の付属化粧材８は、意識して仕上げや色を変えることにより仕上げや、色の異なるカラーバリェーションを持ったデザイン笠木をも提供することができた。
【図面の簡単な説明】
【図１】本発明を説明する要部断面図である。
【図２】本発明を説明する要部断面図である。
【図３】本発明を説明する要部断面図である。
【図４】本発明を説明する要部断面図である。
【図５】本発明を説明する要部断面図である。
【図６】本発明を説明する要部断面図である。
【図７】本発明に使用される主化粧部材の形状例を示す断面図である。
【図８】本発明を説明する斜視断面図である。
【図９】本発明を説明する斜視断面図である。
【図１０】本発明を説明する斜視断面図である。
【図１１】本発明を説明する要部断面図である。
【図１２】本発明を説明する要部断面図である。
【図１３】本発明を説明する要部断面図である。
【図１４】従来例を説明する要部断面図である。
【図１５】従来例を説明する要部断面図である。
【符号の説明】
１  笠木
２  パラペット部
３  笠木先端部
４  主化粧部材
５  ホルダー
６ａ、６ｂ  ビス
７ａ、７ｂ  ホルダーの両端部
８  付属化粧材
９  化粧材
１０  ビス
１１  ビス
１２  ビス
１３  凹溝
１４  ビス
１５  リブ形状材
１６  板状材
１７  ビス
【図１】
2004176410.tif 000003
【図２】
2004176410.tif 000004
【図３】
2004176410.tif 000005
【図４】
2004176410.tif 000006
【図５】
2004176410.tif 000007
【図６】
2004176410.tif 000008
【図７】
2004176410.tif 000009
【図８】
2004176410.tif 000010
【図９】
2004176410.tif 000011
【図１０】
2004176410.tif 000012
【図１１】
2004176410.tif 000013
【図１２】
2004176410.tif 000014
【図１３】
2004176410.tif 000015
【図１４】
2004176410.tif 000016
【図１５】
2004176410.tif 000017
【手続補正書】
【提出日】平成15年1月16日(2003.1.16)
【手続補正１】
【補正対象書類名】図面
【補正対象項目名】全図
【補正方法】変更
【補正の内容】
【図１】
2004176410.tif 000018
【図２】
2004176410.tif 000019
【図３】
2004176410.tif 000020
【図４】
2004176410.tif 000021
【図５】
2004176410.tif 000022
【図６】
2004176410.tif 000023
【図７】
2004176410.tif 000024
【図８】
2004176410.tif 000025
【図９】
2004176410.tif 000026
【図１０】
2004176410.tif 000027
【図１１】
2004176410.tif 000028
【図１２】
2004176410.tif 000029
【図１３】
2004176410.tif 000030
【図１４】
2004176410.tif 000031
【図１５】
2004176410.tif 000032